【手続補正書】
【提出日】平成20年4月4日(2008.4.4)
【手続補正１】
【補正対象書類名】特許請求の範囲
【補正対象項目名】請求項１
【補正方法】変更
【補正の内容】
【請求項１】
励磁コイルを有する磁場発生手段と、前記磁場発生手段の発生磁場により発熱する発熱部材と、を有し、前記発熱部材の熱により記録材上の画像を加熱する像加熱装置において、
前記励磁コイルに印加する電流の周波数を変更する変更手段を有し、前記発熱部材は長手方向の異なる領域に第一の領域と第二の領域を有し、
前記周波数に対する発熱特性が、前記第一の領域と前記第二の領域とで異なることを特徴ことを特徴とする像加熱装置。
【手続補正２】
【補正対象書類名】明細書
【補正対象項目名】０００４
【補正方法】変更
【補正の内容】
【０００４】
また、誘導加熱発熱体とスラスト熱伝導向上のための芯体とからなる二層構造の定着ローラを用いることで、記録材のサイズが小さい場合の非通紙部の昇温を芯体部のスラスト熱伝導よって均すことにより、定着ローラの熱分布を均一にしている（特許文献３）。
【手続補正３】
【補正対象書類名】明細書
【補正対象項目名】０００５
【補正方法】変更
【補正の内容】
【０００５】
また、導電性を有する材料からなる筒状の導電層を備える加熱ローラであって、導電層の軸線方向両端部付近の層厚ｔ１が、導電層のそれ以外に部分の層厚ｔ２よりも薄くなるよう形成された加熱ローラと、導電層に交番磁界を印加して発熱させる磁界発生手段を有しており、大サイズの被加熱材を加熱するとき、交番磁界の周波数を高く設定し、層厚ｔ１の表皮深さとなる条件で発熱させることによって、導電層の軸方向における昇温速度及び温度分布を均一化させており、小サイズの被加熱材を加熱するとき、交番磁界の周波数を低く設定し、層厚ｔ２に形成される部分を主に発熱させ、層厚ｔ１に形成される部分の発熱を抑制している（特許文献４）。
【手続補正４】
【補正対象書類名】明細書
【補正対象項目名】００１２
【補正方法】変更
【補正の内容】
【００１２】
上記目的を達成するための本発明に係る像加熱装置の代表的な特徴は、励磁コイルを有する磁場発生手段と、前記磁場発生手段の発生磁場により発熱する発熱部材と、を有し、前記発熱部材の熱により記録材上の画像を加熱する像加熱装置において、前記励磁コイルに印加する電流の周波数を変更する変更手段を有し、前記発熱部材は長手方向の異なる領域に第一の領域と第二の領域を有し、前記周波数に対する発熱特性が、前記第一の領域と前記第二の領域とで異なることを特徴ことを特徴とする像加熱装置。
【手続補正５】
【補正対象書類名】明細書
【補正対象項目名】００１３
【補正方法】変更
【補正の内容】
【００１３】
上記構成において、変更手段により、励磁コイルに流す電流の周波数を変えることにより、相対的に非通紙部領域の発熱密度を減らすことができる。
【手続補正６】
【補正対象書類名】明細書
【補正対象項目名】００２３
【補正方法】変更
【補正の内容】
【００２３】
１は磁気誘導発熱する即ち磁場発生手段の発生磁場により発熱する発熱部材としての定着ローラ（加熱用回転体）、２は加圧部材としての加圧ローラである。
【手続補正７】
【補正対象書類名】明細書
【補正対象項目名】００２５
【補正方法】変更
【補正の内容】
【００２５】
定着ローラの表面には、弾性層、離型層としてのゴム（離型性のゴム）、フッ素樹脂等を設けても良い。
【手続補正８】
【補正対象書類名】明細書
【補正対象項目名】００３６
【補正方法】変更
【補正の内容】
【００３６】
そして、定着ローラ１の温度が立ち上って所定温度に温調された状態において、定着ニップ部Ｎに対して作像部側から未定着トナー画像ｔを担持した記録材Ｐが導入されて定着ニップ部Ｎを挟持搬送されていくことで、定着ローラ１の熱と定着ニップ部Ｎの加圧力で、未定着トナー画像ｔ（記録材上の画像）が記録材面に加熱定着される。
【手続補正９】
【補正対象書類名】明細書
【補正対象項目名】００４５
【補正方法】変更
【補正の内容】
【００４５】
本実施例は、このような非通紙部昇温現象を抑制すると共に、熱分布を効率よく制御でき、発熱効率のよい電力供給を可能にするために、励磁回路５１から励磁コイル４に流す交番電流の周波数を切り替える周波数制御手段としての周波数制御部５４を具備させる。この周波数制御部５４が励磁コイル４に印加する電流の周波数を変更する変更手段である。そして、この周波数制御部５４を本体制御回路部５０により、該本体制御回路部に記録材サイズ選択指定手段５５から入力する、装置に通紙使用される記録材サイズ情報に応じて制御して、励磁回路５１から励磁コイル４に流す交番電流の周波数切り替えを行なわせる。また、磁気誘導発熱する加熱部材としての定着ローラ１（金属層の円筒状ローラ）を、記録材搬送方向に直交する長手方向において、上記周波数制御部５４による周波数の切り替えにより発熱密度に異なりを生じる即ち周波数に対する発熱特性が異なる複数の発熱部材部分を配置して構成する。この具体例を下記する。
【手続補正１０】
【補正対象書類名】明細書
【補正対象項目名】００４６
【補正方法】変更
【補正の内容】
【００４６】
１）具体例１
図６において、定着ローラ１の長手方向（記録材搬送方向と直交する方向）に関して、１ｂは小型サイズ記録材Ｐ２の通紙領域Ｂに対応する定着ローラ部分（第二の領域：最大サイズの記録材より小サイズの所定サイズの記録材の搬送領域にする領域）、１ｃは小型サイズ記録材Ｐ２を通紙した場合の、大型サイズ記録材Ｐ１の通紙領域Ａと小型サイズ記録材Ｐ２の通紙領域Ｂとの差領領域である非通紙部領域Ｃに対応する定着ローラ部分（第一の領域：記録材の搬送領域うち最大サイズの記録材と該最大サイズより小サイズの所定サイズの記録材との差領域）、１ｄは定着ローラ部分１ｃよりも外側の定着ローラ延長部分である。
【手続補正１１】
【補正対象書類名】明細書
【補正対象項目名】００４８
【補正方法】変更
【補正の内容】
【００４８】
２）具体例２
本例においては、図７の（ａ）の模型図のように、定着ローラ１の定着ローラ部分１ｂはニッケル５０μｍの金属層で構成し、定着ローラ部分１ｃと１ｄはアルミ５０μｍの金属層で構成した。すなわち、定着ローラ部分１ｂ・１ｃ・１ｄは金属層の厚みは同じであるが、定着ローラ部分１ｂと定着ローラ部分１ｃ・１ｄとでは導電率の異なる金属材料（金属材料部分）にしてある。
【手続補正１２】
【補正対象書類名】明細書
【補正対象項目名】００５１
【補正方法】変更
【補正の内容】
【００５１】
本体制御回路部５０は、記録材サイズ選択指定手段５５から入力された通紙使用記録材サイズ情報が小型サイズ記録材Ｐ２である時は、周波数制御部５４を制御して、励磁回路５１から励磁コイル４に流す交番電流の周波数を約２０ＫＨｚより高くしていく。即ち、最大サイズ搬送領域と小型サイズ記録材Ｐ２の搬送領域との差領域に対応する領域に配置された定着ローラ部分１ｃに係る抵抗Ｒｈは、定着ローラ部分１ｂに係る抵抗Ｒｈより低くなり、（１ｂに対する１ｃの抵抗Ｒｈの比が小さくなり）磁気誘導で発熱する定着ローラ部分１ｃの長手方向単位長さあたりの発熱量は定着ローラ部分１ｂの長手方向単位長さあたりの発熱量より小さくなり、非通紙部での温度上昇を抑制できる。即ち、本体制御回路部５０は、小型サイズ記録材Ｐ２が搬送された場合、前記第二の領域に対する前記第一の領域の発熱量の比を低減するように前記周波数を切り替える。